(57)【要約】      （修正有）【課題】簡単な構成で響きや余韻が得られる音響手段内蔵着用物、音響処理システム、音響処理装置、音響処理方法、及びプログラムを提供する。【解決手段】ユーザーの上半身もしくは頭部に着用される着用物ハット２０に設けられ、ユーザーが奏でる楽器の音やユーザーの声を入力して電気信号に変換する音声入力手段マイクロフォン１ａ（１ｂ）と、着用物に設けられ、外部の残響手段と接続可能なインターフェイスと、残響手段によって残響処理された残響信号を音声に変換して出力する音声出力手段左スピーカ３Ｌ、右スピーカ３Ｒと、を備える。【選択図】図５
2018074499.tif 000002
【特許請求の範囲】
【請求項１】
ユーザーの上半身もしくは頭部に着用される着用物に設けられ、前記ユーザーが奏でる楽器の音や前記ユーザーの声を入力して電気信号に変換する音声入力手段と、前記着用物に設けられ、外部の残響手段と接続可能なインターフェースと、前記残響手段によって残響処理された残響信号を音声に変換して出力する音声出力手段と、
を備えたことを特徴とする音響手段内蔵着用物。
【請求項２】
前記着用物は、ハット、ベスト、もしくは開放型ヘッドホンであることを特徴とする請求項１記載の音響手段内蔵着用物。
【請求項３】
ユーザーの上半身もしくは頭部に着用された着用物に設けられ、前記ユーザーが奏でる楽器の音や前記ユーザーの声を入力して電気信号に変換する音声入力手段と、
前記音声入力手段からの電気信号を残響処理して残響信号を出力する残響手段と、
前記着用物に設けられ、前記残響手段からの残響信号を音声に変換して出力する音声出力手段と、
を備えたことを特徴とする音響処理システム。
【請求項４】
前記ユーザーの着用物がハットであって、前記音声入力手段が前記ハットのつばの前縁に内蔵されたマイクロフォンであって、前記音声出力手段が前記つばの前記ユーザーの耳の近傍に位置するように内蔵されたスピーカであって、前記残響手段が前記マイクロフォン及び前記スピーカに有線もしくは無線で接続された携帯端末装置であることを特徴とする請求項３記載の音響処理システム。
【請求項５】
前記ユーザーの着用物がベストであって、前記音声出力手段が前記ベストの肩部に内蔵されたスピーカであって、前記残響手段が前記マイクロフォン及び前記スピーカに有線もしくは無線で接続された携帯端末装置であって、前記音声入力手段が前記携帯端末に内蔵もしくは前記携帯端末と前記スピーカとを接続するコードに設けられたマイクロフォンであることを特徴とする請求項３記載の音響処理システム。
【請求項６】
前記ユーザーの着用物が音声出力手段としての開放型ヘッドホンであって、前記音声入力手段が前記携帯端末に内蔵、前記携帯端末と前記開放型ヘッドホンとを接続するコード、もしくは前記開放型ヘッドホンから延長された支持部に設けられたマイクロフォンであって、前記残響手段が前記マイクロフォン及び前記開放型ヘッドホンに有線もしくは無線で接続された携帯端末装置であることを特徴とする請求項３記載の音響処理システム。
【請求項７】
前記ユーザーの着用物がハットであって、前記音声出力手段が前記ハットのつばの前記ユーザーの耳の近傍に内蔵されたスピーカであって、前記残響手段が前記マイクロフォン及び前記スピーカにコードで接続された携帯端末装置であって、前記音声入力手段が前記ユーザーの口から近接範囲内に位置するように前記コードの途中に設けられたマイクロフォンであることを特徴とする請求項３記載の音響処理システム。
【請求項８】
ユーザーの上半身もしくは頭部に着用される着用物に設けられ、前記ユーザーが奏でる楽器の音や前記ユーザーの声を入力して電気信号に変換する音声入力手段と、
前記着用物に設けられ、音声入力手段からの電気信号を残響処理して残響信号を出力する残響手段と、
前記着用物に設けられ、前記残響手段からの残響信号を音声に変換して出力する音声出力手段と、
を備えたことを特徴とする音響処理装置。
【請求項９】
ユーザーが奏でる楽器の音や前記ユーザーの声を前記ユーザーの上半身もしくは頭部に着用される着用物に設けられた音声入力手段で電気信号に変換し、前記電気信号を残響処理し、前記ユーザーの着用物の前記ユーザーの近接範囲内に設けられた音声出力手段から残響音を前記ユーザーに発することを特徴とする音響処理方法。
【請求項１０】
音響処理システムの実質的なコンピュータが、
音声入力手段にユーザーの上半身もしくは頭部に着用された着用物に設けられ、前記ユーザーが奏でる楽器の音や前記ユーザーの声を入力して電気信号に変換する手順、
残響手段に前記音声入力手段からの電気信号を残響処理して残響信号のみを出力する手順、
音声出力手段に前記着用物に設けられ、前記残響手段からの残響信号を音声に変換して出力する手順、
を実行させるためのコンピュータ読取可能なプログラム。
【発明の詳細な説明】
【技術分野】
【０００１】
本発明は、音響手段内蔵着用物、音響処理システム、音響処理装置、音響処理方法、及びプログラムに関する。
【背景技術】
【０００２】
音楽家が練習したり演奏をしたりする際、楽音には響きや余韻が必要であるが、声や管楽器等には響きや余韻がなく、一般住宅の狭い部屋内では艶の無い音になってしまい気持ち良いものではない。
このような課題を解決するため、種々の提案がなされている。例えば、あたかもコンサートホールで演奏や独唱している雰囲気を得るための設備や装置が開発されている（例えば、特許文献１参照。）
【０００３】
特許文献１に記載の発明は、室内音響生成装置に関するものであり、具体的には、部屋内で発生される音に基づいて間接音を含む室内音響を生成する室内音響生成装置であって、部屋内の上部で互いに離間した位置に外向きにそれぞれ設けられた複数の第１のスピーカと、部屋内において複数の第１のスピーカより下方で且つ床面より上方で互いに離間した位置に内向きにそれぞれ設けられた複数の第２のスピーカであって、複数の第１のスピーカとそれぞれ組をなし、各組毎に第１のスピーカに第２のスピーカを逆位相となるように接続したものと、部屋内において前後左右の壁面、天井面及び床面のうちの１又は複数の面あるいは稜線上に互いに離間して音を受取るべく設けられた複数のマイクロフォンと、複数の第１及び第２のスピーカが構成する複数の組にそれぞれ対応し且つ複数のマイクロフォンにそれぞれ対応する複数の信号処理チャンネルを有する処理手段であって、各信号処理チャンネルが対応するマイクロフォンからの音信号に基づいて間接音信号を形成して対応する組の第１及び第２のスピーカに供給するものを備え、複数の組の第１及び第２のスピーカを介して室内音響を生成するものである。
【先行技術文献】
【特許文献】
【０００４】
【特許文献１】特開２００６−１３３２６２号公報
【発明の概要】
【発明が解決しようとする課題】
【０００５】
しかしながら、特許文献１に記載の発明を実現するためには、市販のスピーカ、エフェクター、アンプ、マイク、機器を組み合わせる必要があり、大掛かりでセッティングも大変であり、専門知識を必要とする。
【０００６】
そこで、本発明の目的は、簡単な構成で響きや余韻が得られる音響手段内蔵着用物、音響処理システム、音響処理装置、音響処理方法、及びプログラムを提供することにある。
【課題を解決するための手段】
【０００７】
上記課題を解決するため、請求項１記載の発明は、ユーザーの上半身もしくは頭部に着用される着用物に設けられ、前記ユーザーが奏でる楽器の音や前記ユーザーの声を入力して電気信号に変換する音声入力手段と、前記着用物に設けられ、外部の残響手段と接続可能なインターフェイスと、前記残響手段によって残響処理された残響信号を音声に変換して出力する音声出力手段と、を備えたことを特徴とする。
【０００８】
請求項２記載の発明は、請求項１に記載の構成に加え、前記着用物は、ハット、ベスト、もしくは開放型ヘッドホンであることを特徴とする。
【０００９】
請求項３記載の発明は、ユーザーの上半身もしくは頭部に着用された着用物に設けられ、前記ユーザーが奏でる楽器の音や前記ユーザーの声を入力して電気信号に変換する音声入力手段と、前記音声入力手段からの電気信号を残響処理して残響信号を出力する残響手段と、前記着用物に設けられ、前記残響手段からの残響信号を音声に変換して出力する音声出力手段と、を備えたことを特徴とする。
【００１０】
請求項４記載の発明は、請求項３に記載の構成に加え、前記ユーザーの着用物がハットであって、前記音声入力手段が前記ハットのつばの前縁に内蔵されたマイクロフォンであって、前記音声出力手段が前記つばの前記ユーザーの耳の近傍に位置するように内蔵されたスピーカであって、前記残響手段が前記マイクロフォン及び前記スピーカに有線もしくは無線で接続された携帯端末装置であることを特徴とする。
【００１１】
請求項５記載の発明は、請求項３に記載の構成に加え、前記ユーザーの着用物がベストであって、前記音声出力手段が前記ベストの肩部に内蔵されたスピーカであって、前記残響手段が前記マイクロフォン及び前記スピーカに有線もしくは無線で接続された携帯端末装置であって、前記音声入力手段が前記携帯端末に内蔵もしくは前記携帯端末と前記スピーカとを接続するコードに設けられたマイクロフォンであることを特徴とする。
【００１２】
請求項６記載の発明は、請求項３に記載の構成に加え、前記ユーザーの着用物が音声出力手段としての開放型ヘッドホンであって、前記音声入力手段が前記携帯端末に内蔵、前記携帯端末と前記開放型ヘッドホンとを接続するコード、もしくは前記開放型ヘッドホンから延長された支持部に設けられたマイクロフォンであって、前記残響手段が前記マイクロフォン及び前記開放型ヘッドホンに有線もしくは無線で接続された携帯端末装置であることを特徴とする。
【００１３】
請求項７記載の発明は、請求項３に記載の構成に加え、前記ユーザーの着用物がハットであって、前記音声出力手段が前記ハットのつばの前記ユーザーの耳の近傍に内蔵されたスピーカであって、前記残響手段が前記マイクロフォン及び前記スピーカにコードで接続された携帯端末装置であって、前記音声入力手段が前記ユーザーの口から近接範囲内に位置するように前記コードの途中に設けられたマイクロフォンであることを特徴とする。
【００１４】
請求項８記載の発明は、ユーザーの上半身もしくは頭部に着用される着用物に設けられ、前記ユーザーが奏でる楽器の音や前記ユーザーの声を入力して電気信号に変換する音声入力手段と、前記着用物に設けられ、音声入力手段からの電気信号を残響処理して残響信号を出力する残響手段と、前記着用物に設けられ、前記残響手段からの残響信号を音声に変換して出力する音声出力手段と、を備えたことを特徴とする。
【００１５】
請求項９記載の発明は、ユーザーが奏でる楽器の音や前記ユーザーの声を前記ユーザーの上半身もしくは頭部に着用される着用物に設けられた音声入力手段で電気信号に変換し、前記電気信号を残響処理し、前記ユーザーの着用物の前記ユーザーの近接範囲内に設けられた音声出力手段から残響音を前記ユーザーに発することを特徴とする。
【００１６】
請求項１０記載の発明は、音響処理システムの実質的なコンピュータが、
音声入力手段にユーザーの上半身もしくは頭部に着用された着用物に設けられ、前記ユーザーが奏でる楽器の音や前記ユーザーの声を入力して電気信号に変換する手順、
残響手段に前記音声入力手段からの電気信号を残響処理して残響信号を出力する手順、
音声出力手段に前記着用物に設けられ、前記残響手段からの残響信号を音声に変換して出力する手順、
を実行させるためのコンピュータ読取可能なプログラムであることを特徴とする。
【発明の効果】
【００１７】
簡単な構成で響きや余韻が得られる音響処理システム、音響処理装置、及び音響処理方法の提供を実現できる。
【図面の簡単な説明】
【００１８】
【図１】（ａ）は、本発明の音響処理システムの一実施の形態に係る全体図であり、（ｂ）は、（ａ）に示した音響処理システムに用いられる、本発明の音響手段付き着用物としてのハットの平面図であり、（ｃ）は（ａ）に示したハットの外観斜視図である。
【図２】図１（ａ）に示した音響処理システムのハードウェアブロック図の一例である。
【図３】図１（ａ）に示した音響処理システムのソフトウェアブロック図の一例である。
【図４】図３に示した各種アプリ5-9bのうちのリバーブのアルゴリズムの一例である。
【図５】図１（ａ）に示した音響処理システムをユーザーUが装着した状態でフルートFを演奏している状態を示す図である。
【図６】図１（ａ）に示した音響処理システムをユーザーUが装着した状態で独唱している状態を示す図である。
【図７】本発明の本発明の音響処理システムの他の実施の形態に係る全体図である。
【図８】図７に示したベスト30をユーザーUが装着した状態でフルートFを演奏している状態を示す図である。
【図９】本発明の本発明の音響処理システムの他の実施の形態に係る全体図である。
【図１０】図９に示した開放型ヘッドホン40をユーザーUが装着した状態でフルートFを演奏している状態を示す図である。
【図１１】（ａ）は、本発明の音響処理システムの他の実施の形態に係る全体図であり、図１１（ｂ）は、図１１（ａ）に示した音響処理システムに用いられるハットの平面図であり、図１１（ｃ）は図１１（ａ）に示したハットの外観斜視図である。
【図１２】図１１（ａ）に示した音響処理システムをユーザーUが装着した状態でフルートFを演奏している状態を示す図である。
【図１３】１３（ａ）は、本発明の音響処理装置の一実施の形態に係る全体図であり、図１３（ｂ）は、図１３（ａ）に示した音響処理装置に用いられるハットの平面図であり、図１３（ｃ）は図１１（ａ）に示したハットの外観斜視図である。
【図１４】図１３（ａ）に示した音響処理装置500をユーザーUが装着した状態でフルートFを演奏している状態を示す図である。
【発明を実施するための形態】
【００１９】
＜実施形態１＞
[全体構成]
図１（ａ）は、本発明の音響処理システムの一実施の形態に係る全体図であり、図１（ｂ）は、（ａ）に示した音響処理システムに用いられる、本発明の音響手段付き着用物としてのハットの平面図であり、図１（ａ）に示した音響処理システムに用いられるハットの平面図であり、図１（ｃ）は図１（ａ）に示したハットの外観斜視図である。
【００２０】
図１（ａ）に示す音響処理システム100は、ユーザーの上半身もしくは頭部に着用される装着物としてのハット20に内蔵され、残響処理された音声を出力する左スピーカ3L、右スピーカ3R、及びマイクロフォン1a（1b）と、携帯端末装置（例えば、スマートホン、以下スマホと表記）2と、スマホ2と左スピーカ3L、右スピーカ3R、及びマイクロフォン1a（1b）とを接続するコード2b,20d及びインターフェイスとしてのコネクタ2c,20eと、を有するシステムである。
【００２１】
左スピーカ3L及び右スピーカ3Rは、ユーザーの耳の近傍に位置するようにつば20cに内蔵されている。
マイクロフォン1aは、ユーザーの口から近接範囲内に配置されたユーザーの着用物に設けられ、ユーザーが奏でる楽器の音やユーザーの声を入力して電気信号に変換する。マイクロフォン1aはモノラルタイプのマイクロフォンを示し、マイクロフォン1a(1b)はステレオタイプのマイクロフォンを示す。本実施形態では、モノラルタイプで説明するが、ステレオタイプであっても３つ以上のマイクロフォンを用いてもよい。マイクロフォン1a(1b)は、ハット20のつば（プリムとも言う）20cの前縁に内蔵されている。
【００２２】
ハット20の20aは腰、20bはリボン、20cはつばとそれぞれ呼ばれる。ハット20は、ストローハットであるが、本発明はこれに限定されるものではなく、ソフトハット、パーラーハット、キャベリン、カンカン帽、ポークバイハット、シルクハット、マウンテンハット、ホンブルグ・ハット、山高帽子、センター・クリース、スラウチ・ハット、ガルボハット、ガウチョハット、カプリーヌ（キャプリン）、ベルジェール・ハット（ミルクメイド・ハット）、ブルトン、クローシュ（クロッシュ）、クルー・ハット（メトロ・ハット）、カウボーイハット（キャツルマン）、テンガロン・ハット、クーリー・ハット、チルバ・ハットのいずれのハットであってもよい。
【００２３】
図１（ｂ）に示すようにハット20のつば20cには腰20aを挟んで平面状の左スピーカ3Lと平面状の右スピーカ3Rが内蔵されている。平面スピーカとしては、例えば、圧電素子で振動板を振動させる圧電スピーカ、二枚の電極に印加された音声信号によって、電極に挟まれた板が振動するコンデンサスピーカ、ダイナミックスピーカが挙げられる。
【００２４】
マイクロフォン1a（1b）としては、例えば、コンデンサマイクロフォン、ダイナミックマイクロフォンが挙げられる。
【００２５】
[ハードウェア構成]
図２は、図１（ａ）に示した音響処理システム100のハードウェアブロック図の一例である。
スマホ2は、通信ユニット2-1、内蔵スピーカ2-2、内蔵マイクロフォン2-3、カメラ2-4、外部インターフェイス2-5、ボタン2-6、CPU（Central Processing Unit）2-7、タッチパネル2-8、ROM（Read Only Memory）2-9、RAM（Random Access Memory）2-10、HDD（Hard Disk Drive）2-11及び各種センサ2-12を有する。
タッチパネル2-8は、ディスプレイ2-8aと、タッチスクリーン2-8bとを有する。
【００２６】
通信ユニット2-1は、スマホ2のユーザーがインターネット接続、電話回線接続、及びメール送受信を行うためのユニットである。
内蔵スピーカ2-2は、ユーザーがスマホ2を用いて電話したり、音声ガイダンスを聞いたり、緊急地震速報等の警報音を発生したり、後述する残響アプリにより残響処理された音声を発生する装置である。
内蔵マイクロフォン2-3は、スマホ2のユーザーが音声を送信する際にユーザーの音声を電気信号に変換する装置である。
カメラ2-4は、スマホ2のユーザーが被写体を撮影するための装置であり、例えばCCD（Charge Coupled Device:電荷結合素子）カメラが挙げられる。
外部インターフェイス2-5は、スマホ2に電源、USBフラッシュメモリ、イヤホン等の外部機器やコネクタを接続するための装置である。
ボタン2-6は、スマホ2を起動／停止させるための電源ボタンである。
【００２７】
CPU2-7は、制御プログラムに基づいてスマホ2を統括制御するための素子である。
タッチパネル2-8は、ユーザーがスマホ2を使用する際にタッチスクリーン2-8bでタッチ入力したり、ディスプレイ2-8aに文字や画像を表示したりする装置である。
ROM2-9は、スマホ2の制御プログラムを格納した読み出し専用メモリであり、例えばマスクROMが挙げられる。
RAM2-10は、スマホ2の制御プログラムを展開する書き換え可能なメモリであり、例えばフラッシュメモリが挙げられる。
HDD2-11は、カメラ2-4で撮影した画像やインターネットでダウンロードした、残響アプリを含むアプリケーションソフトウェア（以下、アプリと表記）や画像データ、メールの文字データ、メールに添付された画像データを格納したりする記憶装置である。HDD2-11の代わりにSSD（Solid State Drive）を用いてもよい。
各種センサ2-12は、例えば、GPS（Global Positioning System：全地球測位システム）、ジャイロセンサー（角速度センサー）等が挙げられる。
【００２８】
[ソフトウェア構成]
図３は、図１（ａ）に示した音響処理システム100のソフトウェアブロック図の一例である。
第一音声入力手段4aは、図２のマイクロフォン1aによって実現され、第二音声入力手段4bは、図２のマイクロフォン1bによって実現される。
残響手段5は、図２のスマホ2によって実現される。残響手段5は、ユーザーの奏でる楽器もしくは音声を直接増幅した音声を含んでもよい。通信手段5-1は、図２の通信ユニット2-1によって実現され、内蔵音声出力手段5-2は、図２の内蔵スピーカ2-2によって実現され、内蔵音声入力手段5-3は、図２の内蔵マイクロフォン2-3によって実現される。
【００２９】
撮影手段5-4は、図２のカメラ2-4によって実現され、外部信号入出力手段5-5は、図２の外部インターフェイス2-5によって実現され、電源オンオフ手段5-6は、図２のボタン2-6によって実現され、制御手段5-7は、図２のCPU2-7によって実現される。
入力表示手段5-8は、図２のタッチパネル2-8によって実現され、表示手段5-8aは、図２のディスプレイ2-8aによって実現され、入力手段5-8bは、図２のタッチスクリーン2-8bによって実現され、記憶手段5-9は図２のROM2-9、RAM2-10、及びHDD2-11によって実現される。
制御プログラム5-9aは図２のROM2-9及びRAM2-10によって実現され、各種アプリ5-9bは、図２のHDD2-11によって実現され、各種検知手段5-10は、図２の各種センサによって実現される。
【００３０】
左チャンネル音声出力手段6Lは、図２の左スピーカ3Lによって実現され、右チャンネル音声出力手段6Rは、図２の右スピーカ3Rによって実現される。
【００３１】
[リバーブのアルゴリズム]
図４は、図３に示した各種アプリ5-9bのうちのリバーブのアルゴリズムの一例である。
入力7は、例えば、ユーザーの奏でる楽器の音やユーザーの声である。入力7から複数（N個）の初期反射生成（ディレーライン）8-1〜8-Nによって複数（N個）の残響音が形成される。
各残響音は、後部残響音生成（ディレー、EQ「エコライザー」、フィードバック）9-1〜9-Nによって補正され、補正された残響音はミックス（分散定位）10によって混合される。混合された残響音は左チャンネル11L及び右チャンネル11Rに分割される。残響音信号はバイノーラルであり、リバーブのアルゴリズムはスマホ2のアプリとして実装されている。
ここで、実際に実装する最適なものは、バイノーラル化（3次元音像定位）した残響を付加できるものであり、残響だけでなく、直接音もバイノーラル化（3次元音像定位）し、必要に応じてミックスする。これは、適度なバランスで3次元定位する方が良い場合もあり得るため、ミックスできるようにしてもよい。
【００３２】
[作用効果]
ここで、楽器としては、例えば、フルートやオーボエのような金管楽器が好ましい。また、ユーザーの独唱の場合も好ましい。これは、金管楽器や音声には打楽器のような響きや余韻がほとんどないため、本実施形態のシステムや装置を用いることでユーザーが奏でる楽器からの音声が直接ユーザーの耳に入ると共に、その楽器からの音声が残響処理されて得られた残響音（直接増幅された音声を含んでもよい。）がユーザーの耳に入るので、狭い室内でもあたかもコンサートホールで演奏した場合と同様の臨場感が得られる。ユーザーの独唱も同様の効果が得られる。すなわち、本実施形態によれば、簡単な構成で響きや余韻が得られる。
【００３３】
[装着例１]
図５は、図１（ａ）に示した音響処理システム100をユーザーUが装着した状態でフルートFを演奏している状態を示す図である。
ユーザーUがハット20を被り、ハット20のコード20dのコネクタ20eがスマホ2にコード2b及びコネクタ2a,2cを介して接続されている。この場合、ハット20のマイクロフォン1a（1b）、左スピーカ3L、及び右スピーカ3Rは、コード20d,2b及びコネクタ20e,2c,2aを介してスマホ2に接続されている。
【００３４】
ユーザーUの奏でるフルートFの音声はマイクロフォン1a（1b）に入力されると共にユーザーUの耳に入る。マイクロフォン1a（1b）に入力されたフルートFの音声はスマホ2の残響用のアプリによって残響処理され、残響信号をスマホ2から、コード20d,2b及びコネクタ20e,2c,2aを介して左スピーカ3L及び右スピーカ3RからユーザーUの耳に入る。
この結果、ユーザーUは６畳程度の室内であってもあたかもコンサートホールで演奏したような臨場感が得られる。
【００３５】
[装着例２]
図６は、図１（ａ）に示した音響処理システム100をユーザーUが装着した状態で独唱している状態を示す図である。
図６に示した装着例２の図５に示した装着例１との相違点は、ユーザーUが楽器を奏でるのではなく、独唱している点である。
このような場合において、ユーザーUの声はマイクロフォン1a（1b）とユーザーUの耳に入ると共に、スマホ2で残響処理されて得られた残響音を左スピーカ3L及び右スピーカ3RからユーザーUの耳に入り、あたかもコンサートホールで独唱しているような臨場感が得られる。
尚、上述した図ではユーザーUは、ルートヴィヒ・ヴァン・ベートーヴェンの交響曲第９番ニ短調作品12を演奏もしくは独唱しているが、本発明はこれに限定されるものではない。
【００３６】
＜実施形態２＞
図７は、本発明の本発明の音響処理システムの他の実施の形態に係る全体図である。
図７に示した音響処理システム200の実施の形態の図１（ａ）に示した実施の形態との相違点は、装着物としてベストに適用した点である。
図７に示す音響処理システム200は、ベスト30aの左肩部に左スピーカ3Lが設けられ、ベスト本体30aの右肩部に右スピーカ3Rが設けられ、ベスト本体30aの左胸部にマイクロフォン1a（1b）が設けられている。左スピーカ3L、右スピーカ3R、及びマイクロフォン1a（1b）はコード30b及びコネクタ30cを介してスマホ2に接続されるようになっている。
ベスト30a、左スピーカ3L、右スピーカ3R、マイクロフォン1a（1b）、コード30b、及びインターフェイスとしてのコネクタ30cで音響手段付き着用物が構成されている。
尚、図ではマイクロフォン1a（1b）がベスト30に設けられているが、本発明は、これに限定されるものではなく、ベスト30に左スピーカ3L、及び右スピーカ3Rを設け、スマホ2の内蔵マイクロフォン2-3（図２参照）を用いてもよい。
【００３７】
[装着例３]
図８は、図７に示した音響処理装置200をユーザーUが装着した状態でフルートFを演奏している状態を示す図である。
このような状態であっても、ユーザーUの奏でるフルートFの音声はマイクロフォン1a（1b）に入力されると共にユーザーUの耳に入る。マイクロフォン1a（1b）に入力されたフルートFの音声はスマホ2の残響用のアプリによって残響処理され、残響信号をスマホ2から、コード30b及びコネクタ30cを介して左スピーカ3L及び右スピーカ3RからユーザーUの耳に入る。
この結果、ユーザーUは６畳程度の室内であってもあたかもコンサートホールで演奏したような臨場感が得られる。
【００３８】
＜実施形態３＞
図９は、本発明の本発明の音響処理システムの他の実施の形態に係る全体図である。
図９に示した音響処理システム300の実施の形態の図１（ａ）に示した実施の形態との相違点は、装着物としてマイク付きの開放型ヘッドホンに適用した点である。
図９に示す音響処理システム300は、ヘッドバンド40eの両側に設けられた左スピーカ保持部40L及び右スピーカ保持部40Rと、開放型ヘッドホン40から延長された支持部40aと支持部40aの端部に設けられたマイクロフォン1a（1b）を内蔵したマイク保持部40bと、コード40cと、コネクタ30cと、スマホ2と、を有する。
左スピーカ保持部40Lは、左スピーカ3Lが内蔵され、右スピーカ保持部40Rには右スピーカ3Rが内蔵されている。
開放型ヘッドホン40の左スピーカ40L及び右スピーカ40Rのユーザーの頭部側には耳と密着しないように保持部40g,40fが設けられている。このためユーザーの耳が開放されるようになっている。
尚、音響処理手段付き着用物は、ヘッドバンド40eの両側に設けられた左スピーカ保持部40L及び右スピーカ保持部40Rと、開放型ヘッドホン40から延長された支持部40aと支持部40aの端部に設けられたマイクロフォン1a（1b）を内蔵したマイク保持部40bと、コード40cと、インターフェイスとしてのコネクタ30cとを有する。
【００３９】
[装着例４]
図１０は、図９に示した音響処理システム300をユーザーUが装着した状態でフルートFを演奏している状態を示す図である。
このような状態であっても、ユーザーUの奏でるフルートFの音声はマイクロフォン1a（1b）に入力されると共にユーザーUの耳に入る。マイクロフォン1a（1b）に入力されたフルートFの音声はスマホ2の残響用のアプリによって残響処理され、残響信号をスマホ2から、コード40c及びコネクタ40dを介して左スピーカ3L及び右スピーカ3RからユーザーUの耳に入る。
この結果、ユーザーUは６畳程度の室内であってもあたかもコンサートホールで演奏したような臨場感が得られる。
【００４０】
＜実施形態４＞
図１１（ａ）は、本発明の音響処理システムの他の実施の形態に係る全体図であり、図１１（ｂ）は、図１１（ａ）に示した音響処理システムに用いられるハットの平面図であり、図１１（ｃ）は図１１（ａ）に示したハットの外観斜視図である。
【００４１】
図１１（ａ）に示した音響処理システム400の図１（ａ）に実施の形態との相違点は、音声入力手段がユーザーの口から近接範囲内に位置するようにコードの途中に設けられたマイクロフォン（イヤホンマイク）である点である。
図１１（ａ）に示す音響処理システム400は、ユーザーの装着物としてのハット20に内蔵された左スピーカ3L及び右スピーカ3Rと、スマホ2と、スマホ2と左スピーカ3L右スピーカ3Rとをコネクタ20e,2c,2aを介して接続するコード20d,2bのうちコード2bの途中に設けられたマイクロフォン1a（1b）を保持する保持部2ｄとを有する。
【００４２】
[装着例５]
図１２は、図１１（ａ）に示した音響処理システム400をユーザーUが装着した状態でフルートFを演奏している状態を示す図である。
このような状態であっても、ユーザーUの奏でるフルートFの音声はマイクロフォン1a（1b）に入力されると共にユーザーUの耳に入る。マイクロフォン1a（1b）に入力されたフルートFの音声はスマホ2の残響用のアプリによって残響処理され、残響信号をスマホ2から、コード2b,20d及びコネクタ2a,2c,20eを介して左スピーカ3L及び右スピーカ3RからユーザーUの耳に入る。
この結果、ユーザーUは６畳程度の室内であってもあたかもコンサートホールで演奏したような臨場感が得られる。
【００４３】
＜実施形態５＞
図１３（ａ）は、本発明の音響処理装置の一実施の形態に係る全体図であり、図１３（ｂ）は、図１３（ａ）に示した音響処理装置に用いられるハットの平面図であり、図１３（ｃ）は図１１（ａ）に示したハットの外観斜視図である。
図１３（ａ）に示した音響処理装置500の形態の図１（ａ）に実施の形態との相違点は、ハット20に左スピーカ3Lと、右スピーカ3Rと、マイクロフォン1a（1b）と、スマホ2と、が一体的に形成されている点である。
【００４４】
[装着例６]
図１４は、図１３（ａ）に示した音響処理装置500をユーザーUが装着した状態でフルートFを演奏している状態を示す図である。
ユーザーUがハット20を被り、スマホ2のボタン2-6を押すだけでよい。コードやコネクタの接続は既に完了しているためである。
【００４５】
このような状態で、ユーザーUの奏でるフルートFの音声はマイクロフォン1a（1b）に入力されると共にユーザーUの耳に入る。マイクロフォン1a（1b）に入力されたフルートFの音声はスマホ2の残響用のアプリによって残響処理され、残響信号をスマホ2から、左スピーカ3L及び右スピーカ3RからユーザーUの耳に入る。
この結果、ユーザーUは６畳程度の室内であってもあたかもコンサートホールで演奏したような臨場感が得られる。
【００４６】
＜プログラム＞
以上で説明した本発明に係る音響処理システムは、コンピュータで処理を実行させるプログラムによって実現されている。コンピュータとしては、例えばスマホに内蔵されているCPU、ROM、RAMが挙げられるが、本発明はこれに限定されるものではない。よって、一例として、プログラムにより本発明の機能を実現する場合の説明を以下で行う。
【００４７】
例えば、
音響処理システムの実質的なコンピュータが、
音声入力手段にユーザーの上半身もしくは頭部に着用された着用物に設けられ、前記ユーザーが奏でる楽器の音や前記ユーザーの声を入力して電気信号に変換する手順、
残響手段に前記音声入力手段からの電気信号を残響処理して残響信号を出力する手順、
音声出力手段に前記着用物に設けられ、前記残響手段からの残響信号のみを音声に変換して出力する手順、
を実行させるためのコンピュータ読取可能なプログラムが挙げられる。
【００４８】
このようなプログラムは、コンピュータに読み取り可能な記憶媒体に記憶されていてもよい。
【００４９】
＜記憶媒体＞
ここで、記憶媒体としては、例えばCD-ROM、フレキシブルディスク（FD）、CD-R等のコンピュータで読み取り可能な記憶媒体、フラッシュメモリ、RAM、ROM、FeRAM等の半導体メモリやHDDが挙げられる。
【００５０】
CD-ROMは、Compact Disc Read Only Memoryの略である。フレキシブルディスクは、Flexible Disk：FDを意味する。CD-Rは、CD Recordableの略である。FeRAMは、Ferroelectric RAMの略で、強誘電体メモリを意味する。
【００５１】
尚、上述した実施の形態は、本発明の好適な実施の形態の一例を示すものであり、本発明はそれに限定されることなく、その要旨を逸脱しない範囲内において、種々変形実施が可能である。例えば、上述の説明では、スマホとハットとの間が有線で接続された場合にいて説明したが、本発明ではこれに限定されず、無線で接続する場合についても適用可能である。
【符号の説明】
【００５２】
１ａ、１ｂ    マイクロフォン
２、２００ｄ    携帯端末装置（スマホ）
２−１    通信ユニット
２−２    内蔵スピーカ
２−３    内蔵マイクロフォン
２−４    カメラ
２−５    外部インターフェイス
２−６    ボタン
２−７    ＣＰＵ
２−８    タッチパネル
２−９    ＲＯＭ
２−１０    ＲＡＭ
２−１１    ＨＤＤ
２−１２    各種センサ
３Ｌ    左スピーカ
３Ｒ    右スピーカ
４ａ    第一音声入力手段
４ｂ    第二音声入力手段
５    残響手段
５−１    通信手段
５−２    内蔵音声出力手段
５−３    内蔵音声入力手段
５−４    撮影手段
５−５    外部信号入出力手段
５−６    電源オンオフ手段
５−７    制御手段
５−８    有力表示手段
５−９    記憶手段
５−１０    各種検知手段
６Ｌ    左チャンネル音声出力手段
６Ｒ    右チャンネル音声出力手段
７    入力
８−１〜８−Ｎ    初期反射生成
９−１〜９−Ｎ    後部残響音生成
１０    ミックス
１１Ｌ    左チャンネル
１２Ｒ    右チャンネル
２０    ハット
３０    ベスト
４０    開放型ヘッドホン
１００、２００、３００、４００    音響処理システム
５００    音響処理装置
Ｆ    フルート
Ｕ    ユーザー
【図１】
2018074499.tif 000003
【図２】
2018074499.tif 000004
【図３】
2018074499.tif 000005
【図４】
2018074499.tif 000006
【図５】
2018074499.tif 000007
【図６】
2018074499.tif 000008
【図７】
2018074499.tif 000009
【図８】
2018074499.tif 000010
【図９】
2018074499.tif 000011
【図１０】
2018074499.tif 000012
【図１１】
2018074499.tif 000013
【図１２】
2018074499.tif 000014
【図１３】
2018074499.tif 000015
【図１４】
2018074499.tif 000016